(57)【要約】【課題】様々な要因によってアドレス再生信号の品質が劣化しても信頼性の高いアドレス情報を得ることができるアドレス情報再生方法およびアドレス情報再生装置を提供する。【解決手段】光ディスクは、正弦波部位で構成された領域と、正弦波部位の一部の位相を反転させた部位で構成された第１の領域と、ディスク内周向き偏移または外周向き偏移を急峻にした部位で構成された第２の領域を有するグルーブを備える。光ディスクのグルーブを走査することにより得られる反射光をディスク半径方向に分割したディテクタ４０１、４０２により差動検出し、第１、第２の領域に対応する再生信号の積分値４１７、４１８および積分値の加算値４２２を求め、加算値４２２から判別器４２３によってアドレス情報を判別する。【選択図】　図４
2004005908.tif 000002
【特許請求の範囲】
【請求項１】
正弦波で構成されるウォブル形状を有する正弦波領域と、正弦波の一部分にその位相を反転させた部分が含まれたウォブル形状を有する第１の領域と、ディスクの内周向き偏移または外周向き偏移がトラックの進行方向に対して急峻になっているウォブル形状を有する第２の領域とを有するウォブルさせたトラックグルーブを備え、前記第１の領域および前記第２の領域のウォブル形状に同じアドレス情報が記憶されている光ディスク媒体から前記アドレス情報を読み出すアドレス情報再生方法であって、
前記トラックグルーブをその形成方向に沿ってレーザビームで照射することにより得られる反射光から、前記第１の領域および前記第２の領域のグルーブ形状に対応した第１のアドレス再生信号および第２のアドレス再生信号を得るステップと、
前記正弦波に位相同期しており、前記正弦波と同じ周波数を有する第１の基準信号と、前記第１のアドレス再生信号とを乗算することによって、第１の乗算信号を求めるステップと、
前記正弦波に位相同期しており、前記正弦波の偶数倍の周波数を有する第２の基準信号と、前記第２のアドレス再生信号とを乗算することによって、第２の乗算信号を求めるステップと、
前記第１の乗算信号および前記第２の乗算信号をそれぞれ積分することにより、
第１の積分値および第２の積分値を求めるステップと、
前記第１の積分値および前記第２の積分値を加算し、加算値からアドレス情報を検出ステップと、
を包含するアドレス情報再生方法。
【請求項２】
前記第１のアドレス再生信号および第２のアドレス再生信号をそれぞれ所定の通過帯域を有するバンドパスフィルタに通過させ、バンドパスフィルタを通過した信号をコンパレータにより２値化するステップを更に含み、
前記第１の基準信号および前記第２の基準信号は２値化信号であり、前記第１の乗算信号および第２の乗算信号を求めるステップをＥＸ−ＯＲ回路を用いて行う請求項１に記載のアドレス情報再生方法。
【請求項３】
正弦波で構成されるウォブル形状を有する正弦波領域と、正弦波の一部分にその位相を反転させた部分が含まれたウォブル形状を有する第１の領域と、ディスクの内周向き偏移または外周向き偏移がトラックの進行方向に対して急峻になっているウォブル形状を有する第２の領域とを有するウォブルさせたトラックグルーブを備え、前記第１の領域および前記第２の領域のウォブル形状に同じアドレス情報が記憶されている光ディスク媒体から前記アドレス情報を読み出すアドレス情報再生方法であって、
前記トラックグルーブの第１の領域および前記第２の領域から、それぞれのグルーブ形状に基づく第１のアドレス検出信号および第２のアドレス検出信号を求めるステップと、
前記第１のアドレス検出信号および第２のアドレス検出信号のアイ開口値に応じて、前記第１のアドレス検出信号から得られるアドレス情報または前記第２のアドレス検出信号から得られるアドレス情報を選択するステップと、
を包含するアドレス情報再生方法。
【請求項４】
正弦波で構成されるウォブル形状を有する正弦波領域と、正弦波の一部分にその位相を反転させた部分が含まれたウォブル形状を有する第１の領域と、ディスクの内周向き偏移または外周向き偏移がトラックの進行方向に対して急峻になっているウォブル形状を有する第２の領域とを有するウォブルさせたトラックグルーブを備え、前記第１の領域および前記第２の領域のウォブル形状に同じアドレス情報が記憶されている光ディスク媒体から前記アドレス情報を読み出すアドレス情報再生方法であって、
前記トラックグルーブから再生されたユーザデータのエラー発生状況に応じて、前記トラックグルーブの第１の領域または第２の領域から得られるアドレス情報を選択するステップを包含するアドレス情報再生方法。
【請求項５】
前記エラー発生状況は、前記ユーザデータのバーストエラーの発生頻度である請求項４記載のアドレス情報再生方法。
【請求項６】
前記エラー発生状況は、前記ユーザデータのバーストエラーの平均長である請求項５記載のアドレス情報再生方法。
【請求項７】
前記エラー発生状況は、前記ユーザデータのバーストエラーの発生位置である請求項４記載のアドレス情報再生方法。
【請求項８】
請求項１から７のいずれかに記載のアドレス情報再生方法に規定されている各ステップをコンピュータに実行させるためのプログラム。
【請求項９】
請求項８に規定したプログラムを記録したコンピュータ読み取り可能な記録媒体。
【請求項１０】
正弦波で構成されるウォブル形状を有する正弦波領域と、正弦波の一部分にその位相を反転させた部分が含まれたウォブル形状を有する第１の領域と、ディスクの内周向き偏移または外周向き偏移がトラックの進行方向に対して急峻になっているウォブル形状を有する第２の領域とを有するウォブルさせたトラックグルーブを備え、前記第１の領域および前記第２の領域のウォブル形状に同じアドレス情報が記憶されている光ディスク媒体から前記アドレス情報を読み出すアドレス情報再生装置であって、
前記トラックグルーブをその形成方向に沿ってレーザビームで照射することにより得られる反射光から、前記第１の領域および前記第２の領域のグルーブ形状に対応した第１のアドレス再生信号および第２のアドレス再生信号を得る信号再生手段と、
前記正弦波に位相同期しており、前記正弦波と同じ周波数を有する第１の基準信号と、前記正弦波に位相同期しており、前記正弦波の偶数倍の周波数を有する第２の基準信号とを生成する信号生成手段と、
前記第１の基準信号と前記第１のアドレス再生信号とを乗算し、第１の乗算信号を求め、前記第２の基準信号と前記第２のアドレス再生信号とを乗算し、第２の乗算信号を求める乗算手段と、
前記第１の乗算信号および第２の乗算信号をそれぞれ積分して、第１の積分値および第２の積分値を求める積分手段と、
前記第１の積分値および前記第２の積分値を加算する加算手段と、
前記加算手段の出力に基づいて、アドレス情報を判別する判別手段と、
を備えたアドレス情報再生装置。
【請求項１１】
前記第１の積分値または前記第２の積分値をサンプルホールドするサンプルホールド手段を更に備える請求項１０に記載のアドレス情報再生装置。
【請求項１２】
前記乗算手段は、前記第１の基準信号と前記第１のアドレス再生信号とを乗算する第１の乗算回路と、前記第２の基準信号と前記第２のアドレス再生信号とを乗算する第２の乗算回路とを含み、
前記積分手段は、前記第１の乗算信号と、前記第２の乗算信号をそれぞれ積分する第１の積分回路および第２の積分回路とを含む請求項１１に記載のアドレス情報再生装置。
【請求項１３】
正弦波で構成されるウォブル形状を有する正弦波領域と、正弦波の一部分にその位相を反転させた部分が含まれたウォブル形状を有する第１の領域と、ディスクの内周向き偏移または外周向き偏移がトラックの進行方向に対して急峻になっているウォブル形状を有する第２の領域とを有するウォブルさせたトラックグルーブを備え、前記第１の領域および前記第２の領域のウォブル形状に同じアドレス情報が記憶されている光ディスク媒体から前記アドレス情報を読み出すアドレス情報再生装置であって、
前記トラックグルーブをその形成方向に沿ってレーザビームで照射することにより得られる反射光から、前記第１の領域および前記第２の領域のグルーブ形状に対応した第１のアドレス再生信号および第２のアドレス再生信号を得る信号再生手段と、
前記正弦波に位相同期しており、前記正弦波と同じ周波数を有する第１の基準信号と、前記正弦波に位相同期しており、前記正弦波の偶数倍の周波数を有する第２の基準信号とを生成する信号生成手段と、
前記第１の基準信号と前記第１のアドレス再生信号とを乗算し、第１の乗算信号を求め、前記第２の基準信号と前記第２のアドレス再生信号とを乗算し、第２の乗算信号を求める乗算手段と、
前記第１の乗算信号および第２の乗算信号をそれぞれ積分して、第１の積分値および第２の積分値を求める積分手段と、
前記第１の積分値および第２の積分値から第１のアドレス情報および第２のアドレス情報をそれぞれ判別するアドレス判別手段と、
前記第１の積分値および第２の積分値の絶対値を比較し、比較結果に基づいて前記第１のアドレス情報または前記第２のアドレス情報を選択する選択手段と、を備えるアドレス情報再生装置。
【請求項１４】
正弦波で構成されるウォブル形状を有する正弦波領域と、正弦波の一部分にその位相を反転させた部分が含まれたウォブル形状を有する第１の領域と、ディスクの内周向き偏移または外周向き偏移がトラックの進行方向に対して急峻になっているウォブル形状を有する第２の領域とを有するウォブルさせたトラックグルーブを備え、前記第１の領域および前記第２の領域のウォブル形状に同じアドレス情報が記憶されている光ディスク媒体から前記アドレス情報を読み出すアドレス情報再生装置であって、
前記トラックグルーブをその形成方向に沿ってレーザビームで照射することにより得られる反射光から、前記第１の領域および前記第２の領域のグルーブ形状に対応した第１のアドレス再生信号および第２のアドレス再生信号と、前記反射光の強度に対応したユーザデータ再生信号とを得る信号再生手段と、
前記ユーザデータ再生信号からユーザデータのエラーを検出するエラー検出手段と、
前記エラー検出手段の検出結果にしたがって、前記第１のアドレス再生信号または前記第２のアドレス再生信号を選択する選択手段と、
前記選択手段の結果に基づいて、前記第１のアドレス再生信号または前記第２のアドレス再生信号からアドレス情報を取得するアドレス検出手段と、
を備えるアドレス情報再生装置。
【請求項１５】
正弦波で構成されるウォブル形状を有する正弦波領域と、正弦波の一部分にその位相を反転させた部分が含まれたウォブル形状を有する第１の領域と、ディスクの内周向き偏移または外周向き偏移がトラックの進行方向に対して急峻になっているウォブル形状を有する第２の領域とを有するウォブルさせたトラックグルーブを備え、前記第１の領域および前記第２の領域のウォブル形状に同じアドレス情報が記憶されている光ディスク媒体から前記アドレス情報を読み出すアドレス情報再生装置であって、
前記トラックグルーブをその形成方向に沿ってレーザビームで照射することにより得られる反射光から、前記第１の領域および前記第２の領域のグルーブ形状に対応した第１のアドレス再生信号および第２のアドレス再生信号と、前記反射光の強度に対応したユーザデータ再生信号とを得る信号再生手段と、
前記ユーザデータ再生信号からユーザデータのエラーを検出するエラー検出手段と、
前記第１のアドレス再生信号または前記第２のアドレス再生信号から第１のアドレス情報および第２のアドレス情報をそれぞれ取得するアドレス検出手段と、
前記エラー検出手段の検出結果にしたがって、前記第１のアドレス情報または前記第２のアドレス情報を選択するアドレス情報選択手段と、
を備えるアドレス情報再生装置。
【請求項１６】
前記エラー検出手段は、前記ユーザデータのバーストエラーの発生頻度を検出する請求項１４または１５に記載のアドレス情報再生装置。
【請求項１７】
前記エラー検出手段は、前記ユーザデータのバーストエラーの平均長を検出する請求項１４または１５に記載のアドレス情報再生装置。
【請求項１８】
前記エラー検出手段は、前記ユーザデータのバーストエラーの発生位置を検出する請求項１４または１５に記載のアドレス情報再生装置。
【請求項１９】
請求項１０から１８のいずれかに規定されるアドレス情報再生装置を備えた光ディスク装置。
【発明の詳細な説明】
【０００１】
【発明の属する技術分野】
本発明は、トラックグルーブの形状変化によってアドレス情報等を記憶あるいは表現した光ディスク媒体からアドレス情報を再生するアドレス情報再生方法およびアドレス情報再生装置に関する。
【０００２】
【従来の技術】
書き換え可能な光ディスクの記録トラックにおけるアドレス情報の記憶方法として、信号記録用のトラックグルーブ（以下、単にグルーブと呼ぶ）を蛇行（以下、ウォブルと呼ぶ）させ、ウォブルの周波数、位相、振幅等を変化させることによって、アドレス情報を記憶あるいは表現する技術が一般に知られている。
【０００３】
図１は、ウォブルさせたグルーブの種々の形状を示している。グルーブ１００のウォブルは、正弦波のみによって構成されている。グルーブ１０１では、正弦波の一部分にその位相が反転している位相反転部が設けられている。非特許文献１は、グルーブ１００およびグルーブ１０１を用いて、正弦波の位相が反転しているかどうかによって、データの「０」および「１」を割り当て、アドレス情報をグルーブ１００およびグルーブ１０１を用いて表現することを開示している。
【０００４】
また、図１に示すグルーブ１０２では、ウォブルパターンのディスク内周向きの偏移は、トラックの進行方向に対して急峻になっており、ディスク外周向きの偏移はトラックの進行方向に対して緩やかになっている。一方、グルーブ１０３では、ウォブルパターンのディスク外周向きの偏移がトラックの進行方向に対して急峻になっており、ディスク内周向きの偏移はトラックの進行方向に対して緩やかになっている。なお、図１では下方がディスクの内周側であり上方が外周側である。特許文献１は、グルーブ１０２およびグルーブ１０３をデータの「０」および「１」に割り当て、アドレス情報をグルーブ１０２およびグルーブ１０３を用いて表現することを開示している。
【０００５】
図２（ａ）は、グルーブの形状を再生するための再生回路を示すブロック図である。また、図２（ｂ）は、光ディスクに形成されたグルーブ２００を走査するレーザビーム２０１を模式的に示している。レーザビーム２０１はグルーブ２００を有する光ディスクに反射され、反射光２０２が、ディスクの半径方向において分割された再生回路のディテクタ２０３および２０４に入射する。ディテクタ２０３および２０４は入射した光の強度に応じた出力を差動回路２０５へ送る。差動回路２０５は２つの出力差を求めアドレス再生信号２０６を出力する。これにより、図２（ｂ）に示すように、グルーブ２００の形状に応じたウォブル信号２０６が得られる。なお、ディテクタ２０３および２０４の出力が加算回路２０７において加算され、ユーザデータ再生信号２０８が得られる。
【０００６】
【特許文献１】
国際公開第０１／５２２５０号パンフレット
【非特許文献１】
ＩＳＯＭ２００１　ＴＥＣＨＮＩＣＡＬ　ＤＩＧＥＳＴ　ｐｐ．６−７
【０００７】
【発明が解決しようとする課題】
光ディスクからデータを再生する場合、隣接するトラックとの干渉や、光ディスクのデータ面とレーザビームとの傾き、データ面の埃や傷など、様々な要因により再生信号の品質が劣化する。これにともない、アドレス再生信号の品質も劣化し、アドレス情報を正しく検出できないという問題が生じる。特に、記録可能な光ディスク装置を用いる場合、アドレス情報が正しく検知できないために、既に記録されているユーザデータを誤って消去してしまうという重大な問題も生じ得る。
【０００８】
本発明はこのような問題を解決し、様々な要因によってアドレス再生信号の品質が劣化しても信頼性の高いアドレス情報を得ることができるアドレス情報再生方法およびアドレス情報再生装置を提供することを目的とする。
【０００９】
【課題を解決するための手段】
本発明のアドレス情報再生方法は、正弦波で構成されるウォブル形状を有する正弦波領域と、正弦波の一部分にその位相を反転させた部分が含まれたウォブル形状を有する第１の領域と、ディスクの内周向き偏移または外周向き偏移がトラックの進行方向に対して急峻になっているウォブル形状を有する第２の領域とを有するウォブルさせたトラックグルーブを備え、前記第１の領域および前記第２の領域のウォブル形状に同じアドレス情報が記憶されている光ディスク媒体から前記アドレス情報を読み出す。
【００１０】
アドレス情報再生方法は、前記トラックグルーブをその形成方向に沿ってレーザビームで照射することにより得られる反射光から、前記第１の領域および前記第２の領域のグルーブ形状に対応した第１のアドレス再生信号および第２のアドレス再生信号を得るステップと、前記正弦波に位相同期しており、前記正弦波と同じ周波数を有する第１の基準信号と、前記第１のアドレス再生信号とを乗算することによって、第１の乗算信号を求めるステップと、前記正弦波に位相同期しており、前記正弦波の偶数倍の周波数を有する第２の基準信号と、前記第２のアドレス再生信号とを乗算することによって、第２の乗算信号を求めるステップと、前記第１の乗算信号および前記第２の乗算信号をそれぞれ積分することにより、第１の積分値および第２の積分値を求めるステップと、前記第１の積分値および前記第２の積分値を加算し、加算値からアドレス情報を検出ステップとを包含する。
【００１１】
ある好ましい実施形態において、アドレス情報再生方法は、前記第１のアドレス再生信号および第２のアドレス再生信号をそれぞれ所定の通過帯域を有するバンドパスフィルタに通過させ、バンドパスフィルタを通過した信号をコンパレータにより２値化するステップを更に含み、前記第１の基準信号および前記第２の基準信号は２値化信号であり、前記第１の乗算信号および第２の乗算信号を求めるステップをＥＸ−ＯＲ回路を用いて行う。
【００１２】
また、本発明のアドレス情報再生方法は、前記トラックグルーブの第１の領域および前記第２の領域から、それぞれのグルーブ形状に基づく第１のアドレス検出信号および第２のアドレス検出信号を求めるステップと、前記第１のアドレス検出信号および第２のアドレス検出信号のアイ開口値に応じて、前記第１のアドレス検出信号から得られるアドレス情報または前記第２のアドレス検出信号から得られるアドレス情報を選択するステップとを包含する。
【００１３】
また、本発明のアドレス情報再生方法は、前記トラックグルーブから再生されたユーザデータのエラー発生状況に応じて、前記トラックグルーブの第１の領域または第２の領域から得られるアドレス情報を選択するステップを包含する。
【００１４】
ある好ましい実施形態において、前記エラー発生状況は、前記ユーザデータのバーストエラーの発生頻度、前記ユーザデータのバーストエラーの平均長、あるいは、前記ユーザデータのバーストエラーの発生位置である。
【００１５】
また、本発明は、上記いずれかのアドレス情報再生方法に規定されている各ステップをコンピュータに実行させるプログラムおよび、それを記録したコンピュータ読み取り可能な記録媒体である。
【００１６】
また、本発明のアドレス情報再生装置は、前記トラックグルーブをその形成方向に沿ってレーザビームで照射することにより得られる反射光から、前記第１の領域および前記第２の領域のグルーブ形状に対応した第１のアドレス再生信号および第２のアドレス再生信号を得る信号再生手段と、前記正弦波に位相同期しており、前記正弦波と同じ周波数を有する第１の基準信号と、前記正弦波に位相同期しており、前記正弦波の偶数倍の周波数を有する第２の基準信号とを生成する信号生成手段と、前記第１の基準信号と前記第１のアドレス再生信号とを乗算し、第１の乗算信号を求め、前記第２の基準信号と前記第２のアドレス再生信号とを乗算し、第２の乗算信号を求める乗算手段と、前記第１の乗算信号および第２の乗算信号をそれぞれ積分して、第１の積分値および第２の積分値を求める積分手段と、前記第１の積分値および前記第２の積分値を加算する加算手段と、前記加算手段の出力に基づいて、アドレス情報を判別する判別手段とを備える。
【００１７】
ある好ましい実施形態において、アドレス情報再生装置は、前記第１の積分値または前記第２の積分値をサンプルホールドするサンプルホールド手段を更に備える。
【００１８】
ある好ましい実施形態において、前記乗算手段は、前記第１の基準信号と前記第１のアドレス再生信号とを乗算する第１の乗算回路と、前記第２の基準信号と前記第２のアドレス再生信号とを乗算する第２の乗算回路とを含み、前記積分手段は、前記第１の乗算信号と、前記第２の乗算信号をそれぞれ積分する第１の積分回路および第２の積分回路とを含む。
【００１９】
また、本発明のアドレス情報再生装置は、前記トラックグルーブをその形成方向に沿ってレーザビームで照射することにより得られる反射光から、前記第１の領域および前記第２の領域のグルーブ形状に対応した第１のアドレス再生信号および第２のアドレス再生信号を得る信号再生手段と、前記正弦波に位相同期しており、前記正弦波と同じ周波数を有する第１の基準信号と、前記正弦波に位相同期しており、前記正弦波の偶数倍の周波数を有する第２の基準信号とを生成する信号生成手段と、前記第１の基準信号と前記第１のアドレス再生信号とを乗算し、第１の乗算信号を求め、前記第２の基準信号と前記第２のアドレス再生信号とを乗算し、第２の乗算信号を求める乗算手段と、前記第１の乗算信号および第２の乗算信号をそれぞれ積分して、第１の積分値および第２の積分値を求める積分手段と、前記第１の積分値および第２の積分値から第１のアドレス情報および第２のアドレス情報をそれぞれ判別するアドレス判別手段と、前記第１の積分値および第２の積分値の絶対値を比較し、比較結果に基づいて前記第１のアドレス情報または前記第２のアドレス情報を選択する選択手段とを備える。
【００２０】
また、本発明のアドレス情報再生装置は、前記トラックグルーブをその形成方向に沿ってレーザビームで照射することにより得られる反射光から、前記第１の領域および前記第２の領域のグルーブ形状に対応した第１のアドレス再生信号および第２のアドレス再生信号と、前記反射光の強度に対応したユーザデータ再生信号とを得る信号再生手段と、前記ユーザデータ再生信号からユーザデータのエラーを検出するエラー検出手段と、前記エラー検出手段の検出結果にしたがって、前記第１のアドレス再生信号または前記第２のアドレス再生信号を選択する選択手段と、前記選択手段の結果に基づいて、前記第１のアドレス再生信号または前記第２のアドレス再生信号からアドレス情報を取得するアドレス検出手段と、を備える。
【００２１】
また、本発明のアドレス情報再生装置は、前記トラックグルーブをその形成方向に沿ってレーザビームで照射することにより得られる反射光から、前記第１の領域および前記第２の領域のグルーブ形状に対応した第１のアドレス再生信号および第２のアドレス再生信号と、前記反射光の強度に対応したユーザデータ再生信号とを得る信号再生手段と、前記ユーザデータ再生信号からユーザデータのエラーを検出するエラー検出手段と、前記第１のアドレス再生信号または前記第２のアドレス再生信号から第１のアドレス情報および第２のアドレス情報をそれぞれ取得するアドレス検出手段と、前記エラー検出手段の検出結果にしたがって、前記第１のアドレス情報または前記第２のアドレス情報を選択するアドレス情報選択手段とを備える。
【００２２】
ある好ましい実施形態において、前記エラー検出手段は、前記ユーザデータのバーストエラーの発生頻度を検出し、前記ユーザデータのバーストエラーの平均長を検出し、または前記ユーザデータのバーストエラーの発生位置を検出する。
【００２３】
本発明の光ディス装置は、上記いずれかに規定されるアドレス情報再生装置を備える。
【００２４】
【発明の実施の形態】
まず、図３を参照しながら、本発明に用いる光ディスクのグルーブ形状を説明する。図３は光ディスクのデータ面に形成されたグルーブの平面形状を模式的に示しており、本発明に用いる光ディスクは、ディスクの半径方向にウォブルし、スパイラル状に形成されたグルーブを有する。
【００２５】
グルーブは領域３０２、第１の領域３００、第２の領域３０１を含む。領域３０２では、そのウォブルパターンが正弦波のみによって構成されている。第１の領域３００は、ウォブルパターンが正弦波によって構成された部分と正弦波の位相を反転させた部分とを含んでいる。第２の領域３０２では、ウォブルパターンのディスク内周向きの偏移、または、ディスク外周向きの偏移がトラックの進行方向に対して急峻になるよう形成されたウォブルによって構成されている。この第１の領域３００および第２の領域３０１を用いてアドレス情報を表現しており、第１の領域３００と第２の領域３０１とには同じアドレス情報が記憶される。
【００２６】
図３の上部は、第１の領域３００および第２の領域３０１にアドレス情報に用いるデータ「０」を割り当てたグルーブの一例を示しており、図３の下部は、第１の領域３００および第２の領域３０１にアドレス情報に用いるデータ「１」を割り当てたグルーブの一例を示している。２つのグルーブの第１の領域３００において、矢印で示す部分の正弦波の位相が他の部分に対して反転している。図３では、この位相の反転した部分が第１の領域３００の前半部分にある場合にデータ「１」を割り当て、第１の領域３００の後半部分にある場合にデータ「０」を割り当てている。つまり、位相の反転した部分が第１の領域３００のどの位置にあるかによって、データ「０」またはデータ「１」を表現している。
【００２７】
また、第２の領域３０１では、ウォブルパターンのディスク内周向きあるいは外周向きの偏移が急峻であるかどうかによって、データ「０」またはデータ「１」を表現している。図３では、下方がディスクの内周側であり、上方がディスクの外周側である。したがって、図３では、ウォブルパターンのディスク内周向き偏移が急峻であり、ディスク外周向き偏移が緩やかである場合にデータ「０」を対応させ、ウォブルパターンのディスク外周向き偏移が急峻であり、ディスク内周向き偏移が緩やかである場合にデータ「１」を対応させている。このようなウォブル形状によって、光ディスクから得られるアドレス再生信号の信号波形の立ち上がりもウォブルパターンに対応して、急峻であったり緩やかであったりする。
【００２８】
以下において詳述するように、光ディスクから得られる反射光を信号処理し、得られるアドレス再生信号を積分することによって、第１の領域３００および第２の領域３０１が示すデータ「０」またはデータ「１」を検出することができる。
【００２９】
なお、特に図示していないが、第１の領域３００の前には同期を取るためのＳＹＮＣマークが形成されており、このＳＹＮＣマークを基準として各領域の開始位置および終了位置を特定することができる。また、光ディスクからユーザデータを再生する際、データ面とレーザビームとの傾き、データ面の埃や傷などの原因により、ユーザデータ再生信号が劣化し、その結果、ユーザデータに誤りが生じる。このようなユーザデータの誤りを防ぐために、一般には誤り訂正されたユーザデータをディスクに記録し、再生時にこれを用いて誤り訂正処理を行い、発生した誤りの訂正を行うことができる。
【００３０】
（第１の実施形態）
本実施形態のアドレス情報再生方法およびアドレス情報再生装置では、光ディスクのグルーブの第１の領域３００と第２の領域３０１とから得られる信号をそれぞれ独立して乗算、積分を行い、それぞれの積分値を加算し、アドレス情報を検出する。
【００３１】
図４は、本実施形態のアドレス情報再生装置１１を示すブロック図である。また、図５、図６および図７は、アドレス情報再生装置１１の各部において得られる信号の波形を示している。アドレス情報再生装置１１は、ディスクの半径方向に分割されたディテクタ４０１および４０２と、差動回路４０３とを含む。光ディスクのグルーブに照射されたレーザビームの反射光４００は、ディテクタ４０１および４０２で受光され、差動回路４０３において、ディテクタ４０１および４０２の出力差を求めることにより、ウォブル形状に応じたアドレス再生信号４０４が得られる。図５に示すように、アドレス再生信号４０４は、光ディスクのグルーブに形成された第１の領域３００および第２の領域３０１からそれぞれ得られる第１のアドレス再生信号４０５および第２のアドレス再生信号４０６を含む。図５において、アドレス再生信号４０４は２つ示されており、上のアドレス再生信号４０４では、第１のアドレス再生信号４０５および第２のアドレス再生信号４０６がデータ「１」を表しており、下のアドレス再生信号４０４では、第１のアドレス再生信号４０５および第２のアドレス再生信号４０６がデータ「０」を表している。図５に示すように、光ディスクのグルーブに形成された領域３０２から正弦波のアドレス再生信号４３１が得られる。また、第１のアドレス再生信号４０５および第２のアドレス再生信号４０６は、光ディスクのグルーブに設けられたウォブル形状に対応した信号波形を備えている。具体的には、第１のアドレス再生信号４０５は、正弦波によって構成された部分と正弦波の位相を反転させた部分とを含む信号波形を備えている。第２のアドレス再生信号４０６は、進行方向に対して急峻な立ち上がり、あるいは緩やかな立ち上がり部分を有する信号波形を備えている。
【００３２】
アドレス情報再生装置１１は、第１の乗算回路４０９、第１の信号生成回路４１１、第２の乗算回路４１０、第２の信号生成回路４１２、第１の積分回路４１５および第２の積分回路４１６を含む。
【００３３】
第１の乗算回路４０９および第２の乗算回路４１０は並列に差動回路４０３に接続されており、第１のアドレス再生信号４０５、第２のアドレス再生信号４０６および正弦波のアドレス再生信号４３１を含むアドレス再生信号４０４は、同時に第１の乗算回路４０９および第２の乗算回路４１０へ出力される。このため、第１の乗算回路４０９および第２の乗算回路４１０は、第１のアドレス再生信号４０５、第２のアドレス再生信号４０６および正弦波のアドレス再生信号４３１をそれぞれ受け取って演算を行う。しかし、以下において詳述するように、第１の乗算回路４０９および第２の乗算回路４１０の出力をそれぞれ受け取る第１の積分回路４１５および第２の積分回路４１６は、それぞれ第１のアドレス再生信号４０５および第２のアドレス再生信号４０６が出力されている期間のみ積分を行うよう制御される。言い換えれば、第１の乗算回路４０９および第２の乗算回路４１０が行う演算は、それぞれ第１のアドレス再生信号４０５および第２のアドレス再生信号４０６を対するもの以外はアドレス情報の再生に影響を及ぼさない。このため、以下では、第１の乗算回路４０９および第２の乗算回路４１０がそれぞれ第１のアドレス再生信号４０５および第２のアドレス再生信号４０６を処理する場合のみを説明する。
【００３４】
第１の乗算回路４０９は、第１のアドレス再生信号４０５と、第１の信号生成回路４１１から得られる出力信号４０７とを乗算し、第１の乗算回路の出力信号４１３を得る。図５および図６に示すように、第１の信号生成回路４１１から得られる出力信号４０７は、正弦波のアドレス再生信号４３１と同相または逆相で位相同期し、アドレス再生信号４３１と同じ周波数を有する基準信号である。出力信号４０７は第１のアドレス再生信号４０５が出力される期間の前半の後半との間で位相が反転している。
【００３５】
第１の乗算回路４０９の出力信号４１３は第１の積分回路４１５において積分され、第１の積分値４１７が第１の積分回路４１５から出力される。第１の積分回路４１５が第１のアドレス再生信号４０５による出力信号４１３のみを積分するように、第１の積分回路４１５のスイッチ４２４を制御する第１のゲート生成回路４２８が設けられている。図５に示すように、第１のアドレス再生信号４０５が出力されている間、第１のゲート生成回路４２８が制御信号４２６を出力し、スイッチ４２４が解放されて、第１の積分回路４１５が出力信号４１３の積分を行う。第１のアドレス再生信号４０５が出力されていないときは、制御信号４２６も出力されず、スイッチ４２４が閉じる。したがって、第１のアドレス再生信号４０５が出力されていないとき、第１の積分回路４１５はリセットされ、積分値はゼロとなる。このような動作によって、第１の積分回路４１５は図５および図６に示す第１の積分値４１７を出力する。
【００３６】
図５および図６に示すように、第１のアドレス再生信号４０５がデータ「０」を示すものである場合、第１の積分値４１７は正の値となり、データ「１」を示すものである場合、第１の積分値４１７は負の値となる。
【００３７】
第２の乗算回路４１０および第２の積分回路４１６は、第２のアドレス再生信号４０６に対して、上述と同様の演算を行う。具体的には、第２の乗算回路４１０は、第２のアドレス再生信号４０６と、第２の信号生成回路４１２から得られる出力信号４０８とを乗算し、出力信号４１４を得る。図５および図７に示すように、第２の信号生成回路４１２から得られる出力信号４０８は、正弦波のアドレス再生信号４３１の２倍の周波数を有し、正弦波のアドレス再生信号４３１とゼロクロス点が一致するようアドレス再生信号４３１と位相同期している。ここでは、出力信号４１４は正弦波のアドレス再生信号４３１の２倍の周波数を有しているが、偶数倍の周波数を有しておればよい。以下の実施形態でも同様である。
【００３８】
第２の乗算回路４１０の出力信号４１４は第２の積分回路４１６において積分され、第２の積分値４１８が第２の積分回路４１６から出力される。第２の積分回路４１６が第２のアドレス再生信号４０６による出力信号４１４のみを積分するように、第２の積分回路４１６のスイッチ４２５を制御する第２のゲート生成回路４２９が設けられている。図５に示すように、第２のアドレス再生信号４０６が出力されている間、第２のゲート生成回路４２９が制御信号４２７を出力し、スイッチ４２５が解放されて、第２の積分回路４１６が出力信号４１４の積分を行う。第２のアドレス再生信号４０６が出力されていないときは、制御信号４２７も出力されず、スイッチ４２５が閉じる。したがって、第２のアドレス再生信号４０６が出力されていないとき、第２の積分回路４１６はリセットされ、積分値はゼロとなる。このような動作によって、第２の積分回路４１６は図５および図７に示す第２の積分値４１８を出力する。
【００３９】
図７に示すように、第２のアドレス再生信号４０６がデータ「０」を示すものである場合、第２の積分値４１８は正の値となり、データ「１」を示すものである場合、第２の積分値４１８は負の値となる。
【００４０】
図４に示すように、第１の積分回路４１５の第１の積分値４１７は、サンプルホールド回路４１９でサンプルホールドされる。サンプルホールド回路４１９は、第２の積分回路４６から第２の積分値４１８が出力されるまで第１の積分値４１７を保持する。サンプルホールド回路４１９の出力信号４２０は、加算回路４２１において第２の積分回路４１６の第２の積分値４１８と足し合わされ、加算信号４２２となる。これにより、第１のアドレス再生信号４０５に基づく積分値と第２のアドレス再生信号４０６に基づく積分値とが足し合わされる。第２のアドレス再生信号４０６が終了する際、アドレス情報を判別するアドレス判別回路４２３は、加算信号４２２がデータ「０」を示すものであるかデータ「１」を示すものかを判別する。これにより、グルーブのウォブル形状によって示されたアドレス情報を取得することができる。
【００４１】
このように本実施形態では、位相を反転させた部位を有する正弦波で構成されるウォブル形状を有する第１の領域３００と、ディスク内周向き偏移または外周向き偏移を急峻にした部位で構成されたウォブル形状を有する第２の領域３０１とを備え、第１の領域３００および第２の領域３０１に同じアドレス情報が記録された光ディスクからアドレス信号を再生する。このような光ディスクに対して本実施形態では、第１の領域３００および第２の領域３０１に基づく、第１のアドレス再生信号４０５および第２のアドレス再生信号４０６をそれぞれ積分して検出を行い、第１の積分値４１７および第２の積分値４１８を得る。そして、第１の積分値４１７および第２の積分値４１８を足し合わせることによって、アドレス情報を判別するための信号としている。第１の積分値４１７および第２の積分値４１８を加算することによって信号成分は６ｄＢ増加するが、ノイズ成分は３ｄＢしか増加しないため、信号対ノイズ比を３ｄＢ増加させることができ、アドレスを正しく判別する判別能力を向上させることができる。また、アドレス情報の検出誤りは、第１のアドレス再生信号４０５および第２のアドレス再生信号４０６を積分することによって得られる第１の積分値および第２の積分値の絶対値がストレスの影響により小さくなることによって生じる。しかし、第１の積分値４１７および第２の積分値４１８を加算し、加算値からアドレス情報を得ることによってより確からしいアドレス情報を得ることができる。
【００４２】
なお、上記本実施形態では、光ディスクは第１の領域３００において位相を反転させた部位を有する正弦波で構成されるウォブル形状を有し、第２の領域３０１において、ディスク内周向き偏移または外周向き偏移を急峻にした部位で構成されたウォブル形状を有していた。しかし、ウォブルの形状は逆であってもかまはない。この場合には、サンプルホールド回路４１９は第２の積分回路４１６の後段に設けることによって、２つの領域に対応するアドレス再生信号の積分値を正しく加算することができる。また、第１の領域３００および第２の領域３０１のウォブル形状とデータ「０」および「１」との対応関係は逆になっていてもよい。
【００４３】
（第２の実施形態）
図８は本発明のアドレス情報再生方法およびアドレス情報再生装置の第２の実施形態を示すブロック図である。本実施形態のアドレス情報再生装置１２は、第１のアドレス再生信号４０５および第２のアドレス再生信号４０６に対して共通に用いられる乗算回路および積分回路を備えている。第１の実施形態と同じ構成要素には同じ参照符号を付している。
【００４４】
図８に示すように、アドレス情報再生装置１２は、信号生成回路８００、乗算回路８０１、積分回路８０２およびサンプルホールド回路８０３、加算回路８０５およびアドレス判別回路８０６を備える。図９は、アドレス情報再生装置１２の各部における信号の波形を示している。
【００４５】
第１の実施形態と同様、半径方向に分割したディテクタ４０１および４０２と差動回路４０３とによって得られるグルーブ形状に応じたアドレス再生信号４０４は、図５に示すように第１のアドレス再生信号４０５と第２のアドレス再生信号４０６とを含む。
【００４６】
第１のアドレス再生信号４０５が差動回路４０３から出力されている場合、信号生成回路８００は、第１の実施形態と同様、正弦波のアドレス再生信号４３１と同相または逆相で位相同期し、アドレス再生信号４３１と同じ周波数を有する基準信号４０７を出力する。この基準信号４０７と第１のアドレス再生信号４０５が乗算回路８０１において乗算され、乗算信号が積分回路８０２へ入力される。積分回路８０２はゲート生成回路８０８から出力される制御信号８０７（図９）に基づいて、第１のアドレス再生信号４０５が出力されている期間、積分を行う。そして、第１の積分値４１７がサンプルホールド回路８０３によりサンプルホールドされる。
【００４７】
次に第２のアドレス再生信号４０６が差動回路４０３から出力されると、信号生成回路８００は、正弦波のアドレス再生信号４３１の２倍の周波数を有し、アドレス再生信号４３１と位相同期した基準信号４０８を出力する。この基準信号４０８と第２のアドレス再生信号４０６とが乗算回路８０１において乗算され、乗算信号が積分回路８０２へ入力される。積分回路８０２はゲート生成回路８０８から出力される制御信号８０７（図９）に基づいて、第２のアドレス再生信号４０６が出力されている期間、積分を行い、第２の積分値４１８を出力する。第２の積分値４１８はサンプルホールド回路８０３へは入力されず、加算回路８０５へ入力される。
【００４８】
このときサンプルホールド回路８０３からは同時に第１の積分値４１７が加算回路８０５へ入力され、第１の積分値４１７と第２の積分値とが加算される。これにより加算信号４２２が得られる。アドレス判別回路８０６は、加算信号４２２がデータ「０」であるか「１」であるかを判別し、判別結果に基づいてアドレス情報を生成する。
【００４９】
図９に示すように、ゲート生成回路８０８は第１のアドレス再生信号４０５および第２のアドレス再生信号４０６が出力されている期間以外では、制御信号８０７をＯＦＦにし、スイッチ８０４を閉じる。これによって、積分回路８０２の出力をリセットすることができる。
【００５０】
このように本実施形態によれば、乗算回路および積分回路をそれぞれ１つにすることができるため、アドレス情報再生装置１２の構成を簡単にすることができる。
【００５１】
図１０は、本実施形態の他の例であるアドレス情報再生装置１２’を示すブロック図である。
【００５２】
アドレス情報再生装置１２’は、信号生成回路８００、乗算回路８０１、サンプルホールドスイッチ１００１、積分回路１０００およびアドレス判別回路１００３を備える。
【００５３】
第１のアドレス再生信号４０５が差動回路４０３から出力されている場合、信号生成回路８００は、第１の実施形態と同様、正弦波のアドレス再生信号４３１と同相または逆相で位相同期し、アドレス再生信号４３１と同じ周波数を有する基準信号４０７を出力する。この基準信号４０７と第１のアドレス再生信号４０５とが乗算回路８０１において乗算され、サンプルホールドスイッチ１００１を介して乗算信号が積分回路１０００へ入力される。積分回路１０００はこの乗算信号を積分する。なお、積分回路１０００は、ゲート生成回路から出力される制御信号１００４に基づくスイッチ１００２により制御される。図９に示すように、第１のアドレス再生信号４０５の出力が開始され、第２のアドレス再生信号４０６の出力が終了するまでの間、積分回路１０００が積分を実行するよう制御信号１００４がゲート生成回路１００７から出力される。
【００５４】
第１のアドレス再生信号４０５の出力が終了した後、第２のアドレス再生信号４０６の出力が開始するまでの間、ゲート生成回路１００６から出力される制御信号１００５によって、サンプルホールドスイッチ１００１は解放される。これにより、正弦波で構成されるアドレス再生信号が乗算回路８０１へ入力されても、その乗算信号は積分回路１０００へ入力されることはない。また、積分回路１０００では、制御信号１００４に基づいて積分を実行しているが、サンプルホールドスイッチ１００１が解放されており、積分回路１０００へ入力する信号はない。このため、積分回路１０００は、第１の積分値４１７をこの間保持する。
【００５５】
次に第２のアドレス再生信号４０６が差動回路４０３から出力されると、信号生成回路８００は、正弦波のアドレス再生信号４３１の２倍の周波数を有し、アドレス再生信号４３１と位相同期した基準信号４０８を出力する。この基準信号４０８と第２のアドレス再生信号４０６が乗算回路８０１において乗算され、乗算信号がサンプルホールドスイッチ１００１を介して積分回路１０００へ入力される。積分回路１０００は、入力された第２のアドレス再生信号４０６に基づく乗算信号を積分する。この時、第１のアドレス再生信号４０５に基づく第１の積分値４１７が積分回路１０００に保持されているので、積分回路１０００は、第１の積分値４１７に第２のアドレス再生信号４０６に基づく第２の積分値を加算することとなる。したがって、積分回路１０００の出力は第１のアドレス再生信号４０５に基づく第１の積分値４１７および第２のアドレス再生信号４０６に基づく第２の積分値４１８の合計になっている。
【００５６】
アドレス判別回路１００３は、第２のアドレス再生信号４０６の出力の終了時に、積分回路１０００の積分値からデータ「０」であるか「１」であるかを判別し、判別結果に基づいてアドレス情報を生成する。
【００５７】
その後、図９に示すように、制御信号１００４がオフとなり、スイッチ１００２が閉じる。これにより積分回路１０００がリセットされる。
【００５８】
（第３の実施形態）
本実施形態では、アドレス再生信号から所望の２値化信号を生成、２値化信号によって乗算および積分を行い、それぞれの積分値を加算し、アドレス情報を検出する。
【００５９】
図１１は本実施形態によるアドレス情報再生装置１３を示すブロック図であり、図１２、図１３、図１４はアドレス情報再生装置１３の各部における信号の波形を示している。
【００６０】
アドレス情報再生装置１３において、第１のアドレス再生信号４０５は、第１のバンドパスフィルタ（ＢＰＦ）１１０１を通過する。このとき帯域が制限され、帯域制限されたアドレス再生信号１１０２がコンパレータ１１０３に入力される。コンパレータ１１０３は、帯域制限されたアドレス再生信号１１０２から２値化信号１１０４を生成し、ＥＸ−ＯＲ回路（排他的ＯＲ回路）１１０７へ２値化信号１１０４を出力する。
【００６１】
図１３に示すように、第１のパルス生成回路１１０５は、正弦波のアドレス再生信号４３１と同相または逆相で位相同期し、アドレス再生信号４３１と同じ周波数を有する基準信号の２値化パルス信号１１０６である。２値化パルス信号１１０６は第１のアドレス再生信号４０５が出力される期間の前半の後半との間で位相が反転している。
【００６２】
２値化信号１１０４と２値化パルス信号１１０６とは、ＥＸ−ＯＲ回路１１０７へ入力される。２値演算では、ＥＸ−ＯＲ回路１１０７は乗算回路として機能する。ＥＸ−ＯＲ回路１１０７の出力信号１１０８は第１の積分回路１１１７において積分され、第１の積分値１１１９が第１の積分回路１１１７から出力される。第１の積分回路１１１７が第１のアドレス再生信号４０５による出力信号１１０８のみを積分するように、第１の積分回路１１１７のスイッチ１１２６を制御する第１のゲート生成回路１１３０が設けられている。図１２に示すように、第１のアドレス再生信号４０５が出力されている間、第１のゲート生成回路が制御信号１１２８を出力し、スイッチ１１２６が解放されて、第１の積分回路１１１７が出力信号１１０８の積分を行う。第１のアドレス再生信号４０５が出力されていないときは、制御信号１１２８も出力されず、スイッチ１１２６が閉じる。したがって、第１のアドレス再生信号４０５が出力されていないとき、第１の積分回路１１１７はリセットされ、積分値はゼロとなる。このような動作によって、第１の積分回路１１１７は図１２および図１３に示す出力信号１１１９を出力する。
【００６３】
図１２および図１３に示すように、第１のアドレス再生信号４０５がデータ「０」を示すものである場合、第１の積分値１１１９は正の値となり、データ「１」を示すものである場合、第１の積分値１１１９は負の値となる。
【００６４】
第２のＥＸ−ＯＲ回路１１１５および第２の積分回路１１１８は、第２のアドレス再生信号４０６に対して、上述と同様の演算を行う。具体的には、第２のアドレス再生信号４０６を第２のバンドパスフィルタ（ＢＰＦ）１１０９に通過させ、二次高調波成分信号１１１０を生成する。二次高調波成分信号１１１０は、コンパレータ１１１１に入力される。コンパレータ１１１１から出力される２値化信号１１１２は、ＥＸ−ＯＲ回路（排他的ＯＲ回路）１１１５へ入力される。ＥＸ−ＯＲ回路１１１５は、２値化信号１１１２と、第２のパルス生成回路１１３から得られる出力信号１１１４との排他的ＯＲ演算を行い、出力信号１１１６を得る。図１２および図１４に示すように、第２のパルス生成回路１１１３から得られる出力信号１１１４は、正弦波のアドレス再生信号４３１の２倍の周波数を有し、アドレス再生信号４３１と位相同期した基準信号の２値化信号である。
【００６５】
ＥＸ−ＯＲ回路１１１５の出力信号１１１６は第２の積分回路１１１８において積分され、第２の積分値１１２０が第２の積分回路１１１８から出力される。第２の積分回路１１１８が第２のアドレス再生信号４０６による出力信号１１１６のみを積分するように、第２の積分回路１１１８のスイッチ１１２７を制御する第２のゲート生成回路１１３１が設けられている。図１２に示すように、第２のアドレス再生信号４０６が出力されている間、第２のゲート生成回路１１３１が制御信号１１２９を出力し、スイッチ１１２７が解放されて、第２の積分回路１１１８が出力信号１１１６の積分を行う。第２のアドレス再生信号４０６が出力されていないときは、制御信号１１２９も出力されず、スイッチ１１２７が閉じる。したがって、第２のアドレス再生信号４０６が出力されていないとき、第２の積分回路１１１８はリセットされ、積分値はゼロとなる。このような動作によって、第２の積分回路１１１８は図１４に示す出力信号１１２０を出力する。
【００６６】
図１４に示すように、第２のアドレス再生信号４０６がデータ「０」を示すものである場合、出力信号１１２０は正の値となり、データ「１」を示すものである場合、出力信号１１２０は負の値となる。
【００６７】
図１１に示すように、第１の積分回路１１１７の出力信号１１１９は、サンプルホールド回路１１２１でサンプルホールドされる。サンプルホールド回路１１２１の出力信号１１２２は、加算回路１１２３において第２の積分回路１１１８の出力信号１１２０と足し合わされ、加算信号１１２４となる。これにより、第１のアドレス再生信号４０５に基づく積分値と第２のアドレス再生信号４０６に基づく積分値とが足し合わされる。第２のアドレス再生信号４０６が終了際、アドレス情報を判別するアドレス判別回路１１２５は、加算信号１１２４がデータ「０」を示すものであるかデータ「１」を示すものかを判別する。これにより、グルーブのウォブル形状によって示されたアドレス情報を取得することができる。
【００６８】
このように、本実施形態によれば、第１のアドレス再生信号および第２のアドレス再生信号をコンパレータで２値化してから積分し、検出を行うので、第１のアドレス再生信号および第２のアドレス再生信号の振幅が変動しても、安定して積分を行うことが出来る。また、ＥＸ−ＯＲ回路を乗算回路として使用できるため回路が簡単になる。
【００６９】
なお、本実施形態において、第１の積分回路１１１７および第２の積分回路１１１８はアナログ回路で構成されているが、デジタル回路を用いて構成してもよい。また、第２のアドレス再生信号から２次高調波成分を検出しているが、他の高次高調波成分を検出して利用してもよい。さらに、第１の積分値１１１９および第２の積分値１１２０をそのまま加算しているが、一方の信号あるいはそれぞれの信号を重み付け回路に通過させ、第１の積分値および／または第２の積分値に重み付けをしてから加算を行ってもよい。
【００７０】
（第４の実施形態）
第１から第３の実施形態では、第１のアドレス再生信号および第２のアドレス再生信号を加算できるように処理をし、加算値からアドレスを判別していた。これに対し、以下の実施形態では、第１のアドレス再生信号および第２のアドレス再生信号のうち、いずれの再生信号から得られるアドレス情報の信頼性が高いかを判断し、信頼性のより高いアドレス再生信号を用いてアドレス情報を取得する。
【００７１】
本実施形態では、第１のアドレス再生信号および第２のアドレス再生信号からそれぞれ得られるアドレス検出信号のアイ開口値を評価し、アイ開口値に基づいて、第１のアドレス再生信号または第２のアドレス再生信号を選択する。
【００７２】
まず図６および図７を参照しながらアドレス検出信号およびアイ開口値について説明する。
【００７３】
アドレス検出信号とは、図６に示す第１のアドレス再生信号４０５および図７に示す第２のアドレス再生信号４０６を積分して得られる第１の積分値４１７および第２の積分値４１８を矢印で示すように、第１のアドレス再生信号４０５および第２のアドレス再生信号４０６の出力の終了時に検出したものである。実際には、アドレス検出系回路にはノイズが混入するため、アドレス検出信号の絶対値によって、検出されたアドレス情報の信頼性が変化し、絶対値が大きいほどアドレス検出結果の信頼性は高い。一般にデータ「０」および「１」に応じて変化する再生信号の波形をアイパターンといい、データ「０」および「１」に対応した振幅差のことをアイ開口（ｅｙｅ　ｏｐｅｎ）という。ここでは、アドレス検出信号の絶対値をアイ開口値と呼ぶ。
【００７４】
アドレス検出信号のアイ開口値を何らかの方法により測定できれば、グルーブの第１のアドレス再生信号４０５から得られるアドレス情報および第２のアドレス再生信号４０６に基づくアドレス情報のうち、アイ開口値の大きい検出信号から得られるアドレス情報を選択すれば、より信頼性の高いアドレス情報を得ることができる。この時、アドレス情報の１ビットごとにアイ開口値を測定し、ビットごとに情報を選択してもよいし、所定の領域（たとえば、複数のアドレス情報ビットより構成されるアドレスブロック）ごとに、アイ開口値の平均値、二乗平均、最小値などの統計値により、より信頼性の高いアドレス情報を選択してもよい。また、過去のアイ開口値の統計値に基づいて、次に選択するアドレス情報を決定してもよい。
【００７５】
図３に示すように、光ディスクに設けられたグルーブの第１の領域３００および第２の領域３０１に形成されているウォブルによるアドレス情報を再生したとき、アイ開口値に差が生じる具体例を簡単に説明する。
【００７６】
まず、光ディスクの表面に付着した埃の粒子などによって生じる小規模な欠陥の場合を考える。第１の領域３００において、位相が逆転している部分は短くまた、第１の領域３００自体も短い。このため、その欠陥がたまたま第１の領域３００上にあれば、欠陥により再生光ビームが遮られるので、第１の領域３００におけるアドレス検出信号のアイ開口値は極度に劣化する。一方、第２の領域３０１において、アドレス情報は長い範囲に分散して記憶されている。このため、欠陥が第２の領域３０１上に存在しても、その影響は部分的であり、アイ開口値の劣化は小さい。
【００７７】
これに対して、光ディスクのデータ面に付着した指紋などのように広い範囲にわたって光ビームを弱く遮断するような欠陥に対しては、アドレス情報が分散している第２の領域３０１のほうがより影響を受け易く、アドレス検出信号のアイ開口値は劣化する。
【００７８】
なお、アドレス検出信号は積分回路に適当なゲインを持たせ、理想的な信号が入力したときのアドレス検出信号で正規化しておくことが好ましい。
【００７９】
以下、図１５を参照して、本実施形態のアドレス情報再生装置１４を説明する。図１５はアドレス情報再生装置１４のブロック図であり、第１の実施形態のアドレス情報再生装置１１と同じ構成要素には同じ参照符号を付している。第１の実施形態において説明したように、第１の積分回路４１５は、第１のアドレス再生信号４０５に基づく第１の積分値４１７を出力する。第１のアドレス判別回路１５００は第１の積分値４１７を受け取り、積分期間の終了時である第１のアドレス再生信号の出力の終了時における値を第１のアドレス検出信号としてその極性から第１のアドレス情報を決定する。つまりデータ「０」であるか「１」であるかを決定する。そして、決定したアドレス情報をアドレス選択回路１５０２へ出力する。また、第１のアドレス検出信号の絶対値を第１のアイ開口値としてアドレス選択回路１５０２へ出力する。
【００８０】
第２の積分回路４１６も同様に第２のアドレス再生信号４０６に基づく第２の積分値４１８を出力する。第２のアドレス判別回路１５０１は第２の積分値４１８を受け取り、積分期間の終了時である第２のアドレス再生信号の出力の終了時における値を第２のアドレス検出信号として、その極性から第２のアドレス情報を決定する。そして、決定したアドレス情報をアドレス選択回路１５０２へ出力する。また、第２のアドレス検出信号の絶対値を第２のアイ開口値としてアドレス選択回路１５０２へ出力する。
【００８１】
アドレス選択回路１５０２は、第１のアイ開口値と第２のアイ開口値とを比較し、値の大きなほうのアドレス情報をより信頼性が高いデータであるとして選択する。このようにして、アドレス情報の１ビットごとにより信頼性の高いアドレス情報を選択して再生することができる。上述したように、第２の領域３０１に記憶されたアドレス情報は埃などの欠陥に対して強く、第１の領域３００に記憶されたアドレス情報は指紋等の欠陥に対して強い。このため、本実施形態によれば、埃に対しても指紋等の汚れに対しても、高い信頼性でアドレス情報を再生することができる。
【００８２】
なお、第１のアドレス判別回路１５００および第２のアドレス判別回路１５０１は、第１および第２のアイ開口値をアドレス選択回路１５０２へ出力する替わりに第１および第２のアドレス検出信号のアイ開口値を基準信号などで正規化した第１および第２のアイ開口率を出力してもよい。
【００８３】
上述のアドレス情報再生装置１４ではアドレス情報をビットごとに比較していたが、アドレスブロック毎に、第１の領域３００より再生されるアドレス情報と第２の領域３０１より再生されるアドレス情報を選択してもよい。図１６は、図１５に示すアドレス情報再生装置１４の構成を一部変更したアドレス再生装置１４’の構成を示すブロック図である。アドレス情報再生装置１４’は、アドレス情報再生装置１４の構成要素に加えて、第１のアドレスバッファ１６００、第２のアドレスバッファ１６０１、統計値演算回路１６０２を更に備えている。
【００８４】
アドレス判別回路１５００は第１のアイ開口値を統計値演算回路１６０２へ出力し、第１のアドレアス情報をアドレスバッファ１６００へ出力する。アドレスバッファ１６００は１アドレスブロック分の第１のアドレス情報を記憶し、記憶した第１のアドレス情報をアドレスブロックの終了時にまとめてアドレス選択回路１６０３へ出力する。同様にアドレス判別回路１５０１は第２のアイ開口値を統計値演算回路１６０２へ出力し、第２のアドレアス情報をアドレスバッファ１６０１へ出力する。アドレスバッファ１６０１は１アドレスブロック分の第２のアドレス情報を記憶し、記憶した第２のアドレス情報をアドレスブロックの終了時にまとめてアドレス選択回路１６０３へ出力する。
【００８５】
統計値演算回路１６０２は、第１および第２のアイ開口値の１アドレスブロックの間に入力される全ビットの平均値をそれぞれ計算し、アドレスブロック終了時に、アイ開口値の平均値の大きい方のアドレス情報を選択させるための選択信号をアドレス選択回路１６０３へ出力する。アドレス選択回路１６０３は、選択信号にしたがい、第１のアドレス情報または第２のアドレス情報を選択する。このようにして、アドレスブロック毎に、常に信頼性の高いアドレス情報を選択して再生することができる。
【００８６】
なお、過去のアイ開口値に基づいてアドレス情報を選択する場合には、アドレス情報再生装置１４’は、第１のアドレスバッファ１６００および第２のアドレスバッファ１６０１を備えていなくてもよい。この場合には、第１のアドレス判別回路１５００および第２のアドレス判別回路１５０１は、ビットごとの第１のアドレス情報および第２のアドレス情報を順次アドレス選択回路１６０３へ入力する。統計値演算回路１６０２は、過去の所定の範囲における第１および第２のアイ開口値のそれぞれの平均値を計算し、アイ開口値の平均値の大きい方のアドレス情報を選択させるための選択信号をアドレス選択回路１６０３へ出力する。アドレス選択回路１６０３は選択信号にしたがい、順次送られてくる第１のアドレス情報または第２のアドレス情報のいずれかを選択する。
【００８７】
なお、統計値演算回路１６０２は、第１および第２のアイ開口値のそれぞれの平均値ではなく、二乗平均や最小値等、平均値以外の統計値を演算し、選択すべきアドレス情報を決定してもよい。
【００８８】
（第５の実施形態）
以下、本実施形態によるアドレス情報再生装置およびアドレス情報再生方法を説明する。まず、図２を参照して、アドレス再生信号とユーザデータ再生信号との関係を説明する。ユーザデータ再生信号２０８は、２つのディテクタ２０３および２０４の出力を加算回路２０７を用いて加算することにより得られ、ユーザデータとしてグルーブに設けられたピットやマークにより生じる反射光の強弱に対応している。上述した通り、アドレス再生信号２０６もディテクタ２０３および２０４の出力信号から生成されるため、ユーザデータ再生信号が劣化していれば、アドレス再生信号も劣化していると考えられる。すなわち、ユーザデータのエラー発生状況から、アドレス再生信号の品質を推測することができる。
【００８９】
ユーザデータに連続した誤りが発生するバーストエラーが発生したとき、アドレス情報の記憶領域の全てがバーストエラーの発生位置と重なると、再生されるアドレス情報の信頼性はもはや期待できない。バーストエラーの発生頻度が高くなるほど、アドレス情報の記憶領域のすべてがバーストエラーの発生位置と重なる可能性は高くなる。また、発生するバーストエラーの平均長が長くなるほど、アドレス情報の記憶領域のすべてがバーストエラーの発生位置と重なる可能性は高くなる。さらに、アドレス情報が記憶されている領域が小さいほど、アドレス情報の記憶領域のすべてがバーストエラーの発生位置と重なる可能性は高くなる。
【００９０】
図３に模式的に示すように、第１の領域３００は短い領域に集中してアドレス情報が記憶されているのに対して第２の領域３０１はより長い領域に分散してアドレス情報が記憶されている。このため、バーストエラーの発生頻度が高くなるほど、第１の領域３００のすべてバーストエラーの発生位置と重なる可能性は、第２の領域３０１のすべてがバーストエラーの発生位置と重なる可能性よりも高くなる。また、発生するバーストエラーの平均長が長くなるほど、第１の領域３００のすべてがバーストエラーの発生位置と重なる可能性は、第２の領域３０１のすべてがバーストエラーの発生位置と重なる可能性よりも高くなる。
【００９１】
したがって、発生するバーストエラーの発生頻度が高くなる場合、第１の領域３００から再生した第１のアドレス情報よりも、第２の領域３０１から再生した第２のアドレス情報の方が安定してアドレス情報が得られるので、第２の領域３０１から再生した第２のアドレス情報を選択すればよい。また、発生するバーストエラーの平均長が長くなる場合、第１の領域３００から再生した第１のアドレス情報よりも、第２の領域３０１から再生した第２のアドレス情報の方が安定してアドレス情報が得られるので、第２の領域３０１から再生した第２のアドレス情報を選択すればよい。
【００９２】
これとは逆に、バーストエラーが少ない状態では、第１の領域３００から得られる第１のアドレス情報を検出し、利用するほうがよい。短い領域に集中して情報が記録されているため、短時間で読み取れるからである。
【００９３】
バーストエラーの発生位置を特定できる場合には、さらに効率のよい選択が可能である。第１の領域３００がバーストエラーの発生位置と重なった場合には、第２の領域３０１から再生される第２のアドレス情報を選択すればよい。また、第１の領域３００のすべてがバーストエラーの発生位置と重なっていなくとも、所定の割合よりも多くの第１の領域３００がバーストエラーの発生位置と重なった場合には、第２の領域３０１から再生される第２のアドレス情報を選択してもよい。
【００９４】
バーストエラーの検出は、訂正前のユーザデータと訂正後のユーザデータとを比較することにより行なってもよいし、エラー訂正時に行なってもよい。さらに、例えば積符号の繰り返し復号時に用いる消失情報のように、バーストエラーが発生している可能性が高い場所を示す情報が使用可能であれば、この情報をバーストエラーの発生場所として用いてもよい。
【００９５】
なお、ユーザデータにインターリーブが施されている場合には、ディスクに記録されているデータの物理的連続性により、バーストエラーを定義すればよい。ある区間に集中して発生しているランダムエラーは、バーストエラーとみなしてもよい。
【００９６】
また、エラー訂正するまでもなく、ユーザデータ再生信号のエンベロープの落ち込み、およびその長さを計測することで、バーストエラーの程度や長さをある程度見積もることが可能である。この方法は、エラー訂正コードによるものに比べ、精度は劣るが、ユーザデータが記録されていない領域でもある程度バーストエラーを見積もることが可能である。ユーザーデータが記録されていない場合には、アドレス再生信号の状態からエラーになる蓋然性を見積もることが可能である。
【００９７】
以下、図１７を参照して、本実施形態のアドレス情報再生装置１５を説明する。図１７はアドレス情報再生装置１５のブロック図を示している。アドレス情報再生装置１５は、再生回路１７００、バーストエラー検出回路１７０１、選択回路１７０２およびアドレス検出回路１７０８を備えている。アドレス検出回路１７０８は、信号生成回路１７０３、乗算回路１７０４、ゲート生成回路１７０５、積分回路１７０６を含む。
【００９８】
再生回路１７００において、グルーブの形状に応じた信号波形を有するアドレス再生信号は差動回路４０３から出力され、ユーザデータ再生信号は加算回路４４１から出力される。バーストエラー検出回路１７０１はユーザデータ再生信号を受け取って、バーストエラーの発生頻度や発生したバーストエラーの平均長を検出し、これらの検出結果を選択回路１７０２へ出力する。バーストエラーの頻度およびバーストエラーの平均長の検出は、ユーザデータに施されている誤り訂正符号を用いて、訂正前と訂正後のユーザデータを比較することにより行ってもよいし、誤り訂正処理の実行時に行ってもよいし、誤り訂正処理実行時に用いるバーストエラーが発生している可能性が高い場所を示すフラッグを用いてもよい。また、ユーザデータ再生信号のエンベローブの落ち込みなどにより検出することもできる。
【００９９】
選択回路１７０２は、バーストエラー発生頻度が所定の値よりも大きいとき、もしくは、バーストエラーの平均長が所定の値より大きいとき、第２の領域３０１から得られる第２のアドレス再生信号を選択する信号を信号生成回路１７０３およびゲート生成回路１７０５へ出力する。それ以外のときは、第１の領域３００から得られる第１のアドレス再生信号を選択する信号を信号生成回路１７０３およびゲート生成回路１７０５へ出力する。
【０１００】
信号生成回路１７０３は、選択回路１７０２からの信号にしたがって、第１のアドレス再生信号を選択する場合には正弦波のアドレス再生信号と同相または逆相で位相同期し、アドレス再生信号と同じ周波数を有する第１の基準信号を生成する。また、第２のアドレス再生信号を選択する場合には、正弦波のアドレス再生信号の２倍の周波数を有し、ゼロクロス点が一致するようアドレス再生信号と位相同期している第２の基準信号を生成する。
【０１０１】
乗算回路１７０４は信号生成回路１７０３から受け取る基準信号と差動回路４０３から受け取るアドレス再生信号との積を求め、積分回路１７０６へ乗算信号を出力する。
【０１０２】
ゲート生成回路１７０５は、選択回路１７０２からの信号にしたがって、第１のアドレス再生信号を選択する場合には第１のアドレス再生信号が出力されている期間、積分回路１７０６において積分を行うようスイッチ１７０９を解放する第１のゲート信号を出力し、第２のアドレス再生信号を選択する場合には、第２のアドレス再生信号が出力されている期間、積分回路１７０６において積分を行うようスイッチ１７０９を解放する第２のゲート信号を出力する。
【０１０３】
積分回路１７０６は、第１または第２のゲート信号が出力される期間において、乗算回路１７０４から受け取る乗算信号を積分する。そして、積分期間の終了時における値をアドレス検出信号としてアドレス判別回路１７０７へ出力する。アドレス判別回路１７０７は、アドレス検出信号の極性からアドレス情報を決定し、出力する。
【０１０４】
なお、乗算回路１７０４は第１の基準信号または第２の基準信号のいずれかを選択的に受け取るが、差動回路４０３からは第１のアドレス再生信号４０５および第２のアドレス再生信号４０６の両方を受け取る。このため、乗算信号を求めるのには適切でない基準信号とアドレス再生信号との組み合わせが生じる。たとえば、第２の基準信号と第１のアドレス再生信号との積である乗算信号も乗算回路１７０４から出力される。しかし、積分回路１７０６において、選択回路１７０２が選択したアドレス再生信号のみに基づく乗算信号を積分するようゲート生成回路１７０５を制御するため、適切でない基準信号とアドレス再生信号との組み合わせに基づく乗算信号は積分されない。したがって、選択回路１７０２によって決定されるアドレス再生信号のみに基づくアドレス情報を再生することができる。
【０１０５】
このように、本実施形態によれば、バーストエラーの発生状況を考慮してより信頼性の高いアドレス情報を光ディスクから再生することができる。
【０１０６】
なお、バーストエラー検出回路１７０１は、光ディスクのグルーブの所定の領域もしくは所定の期間毎にバーストエラーの検出を行なってもよい。また、バーストエラー検出回路１７０１が第１の領域３００においてバーストエラーの発生を検出した場合には、第２の領域３０１を選択させる検出結果を選択回路１７０２へ出力すればよい。
【０１０７】
図１７に示すアドレス情報再生装置１５では、バーストエラー検出回路の検出結果に基づいて、第１のアドレス再生信号または第２のアドレス再生信号のいずれかを選択的に検出していた。しかし、第１のアドレス再生信号および第２のアドレス再生信号の両方を検出し、検出後にいずれかの検出結果を選択してもよい。
【０１０８】
図１８は、このようなアドレス情報再生装置１５’のブロック図を示している。アドレス情報再生装置１５’は、第１のアドレス再生信号および第２のアドレス再生信号をそれぞれ検出する第１のアドレス検出回路１７０８ａおよび第２のアドレス検出回路１７０８ｂとアドレス選択回路１８００とを備えている。
【０１０９】
第１のアドレス検出回路１７０８ａは、図４に示す第１の信号生成回路４１１、乗算回路４０９、積分回路４１５およびゲート生成回路４２８を備え、第１のアドレス再生信号を検出し、第１のアドレス検出信号をアドレス選択回路１８００へ出力する。同様に、第２のアドレス検出回路１７０８ｂは、第２のアドレス再生信号を検出し、第２のアドレス検出信号をアドレス選択回路１８００へ出力する。
【０１１０】
アドレス選択回路１８００は、バーストエラーの発生頻度が所定値より多いとき、もしくは、バーストエラーの平均長が所定値より長いとき、第２のアドレス検出回路１７０８ｂからのアドレス情報を選択し、それ以外の場合には第１のアドレス検出回路１７０８ａからのアドレス情報を選択する。
【０１１１】
なお、バーストエラーの発生頻度および平均長が十分に小さくとも、第２の領域３０１より再生されるアドレス情報の方が、第１の領域３００より再生されるアドレス情報よりも信頼性が高い場合には、バーストエラー検出回路１７０１は常に第２の領域３０１から再生される第２のアドレス再生信号を選択させる検出結果を出力してもよい。
【０１１２】
（第６の実施形態）
第１、第２、４および第５の実施形態では、アドレス再生信号をアナログ信号のまま演算処理していた。しかし、これらの実施形態において、アドレス信号を多ビットのデジタル信号に変換し、演算処理を行ってもよい。
【０１１３】
図１９は、第１の実施形態のアドレス情報再生装置１１において、デジタル信号処理を行うよう構成したアドレス情報再生装置１６のブロック図を示している。
【０１１４】
アドレス情報再生装置１６は、光ディスクから反射されたレーザビームをディテクタ４０１および４０２によって受光する。ディテクタ４０１および４０２の出力差が差動回路４０３において求められ、アドレス再生信号４０４が差動回路４０３から出力される。アドレス情報再生装置１６は、Ａ／Ｄ変換器１９００を備え、アドレス再生信号４０４を多ビットのデジタル信号に変化する。これにより、デジタル信号１９０１が得られる。ここで、Ａ／Ｄ変換器１９００のサンプリング周波数は、たとえば２２ＭＨｚであり、７ビットのデジタル信号を生成する。サンプリング周波数およびビット値は他の値でもよい。
【０１１５】
アドレス情報再生装置１６において、デジタル信号１９０１は、第１のバンドパスフィルタ（ＢＰＦ）１９２１を通過する。このとき帯域が制限され、帯域制限されたデジタル信号１９０２が第１の乗算回路１９０４に入力される。第１の信号生成回路１９１９の出力信号１９０３は、正弦波のアドレス再生信号と同相または逆相で位相同期し、アドレス再生信号と同じ周波数を有する基準信号である。
【０１１６】
第１の乗算回路１９０４は、出力信号１９０３とデジタル信号１９０２との積を求め、乗算信号１９０５を第１の積分検出回路１９０６へ出力する。第１の積分検出回路１９０６は、第１のゲート生成回路１９２３から得られるゲート信号１９２５により、第１の領域３００から得られる第１の再生信号が出力されている期間のみ乗算信号１９０５の積分を行う。この積分は、サンプリングクロックに基づいて求められ、第１の積分値１９０７を得る。
【０１１７】
また、デジタル信号１９０１は、第２のバンドパスフィルタ（ＢＰＦ）１９２２を通過する。これにより、二次高調波成分信号１９０８が得られ、第２の乗算回路１９１０に入力される。第２の信号生成回路１９２０の出力信号１９０９は、正弦波のアドレス再生信号の２倍の周波数を有し、アドレス再生信号と位相同期した基準信号である。
【０１１８】
第２の乗算回路１９１０は、出力信号１９０９と二次高調波成分信号１９０８との積を求め、乗算信号１９１１を第２の積分検出回路１９１２へ出力する。第２の積分検出回路１９１２は、第２のゲート生成回路１９２４から得られるゲート信号１９２６により、第２の領域３０１から得られる第２の再生信号が出力されている期間のみ乗算信号１９１１の積分を行う。この積分は、サンプリングクロックごとに累積して求められ、第２の積分値１９１３を得る。
【０１１９】
第１の積分値１９０７および第２の積分値１９１３はそれぞれ第１の重み付け回路１９１４および第２の重み付け回路１９１５により重み付けされ、加算回路１９１６により加算される。ここで、第１の重み付け回路１９１４および第２の重み付け回路１９１５は、第１のアドレス再生信号および第２のアドレス再生信号に基づく第１の積分値１９０７および第２の積分値１９１３を等しくするために用いられる。しかし、第１の重み付け回路１９１４および第２の重み付け回路１９１５によりそれぞれの重み付けを任意に定めてもよい。
【０１２０】
アドレス判別回路１０１７は加算回路１９１６の出力が極性に基づいてデータ「０」であるか「１」であるかの判別を行う。
【０１２１】
このように、デジタル回路を用いてアドレス情報再生装置を構成することにより、アナログ回路において発生する部品の個体差（温度特性や特性のばらつき）による影響を低減し、信頼性の高いアドレス情報を再生することのできるアドレス情報再生装置を実現することができる。上述したようにこのようなデジタル回路を用いる構成を第１、第２、第４、および第５の実施形態のアドレス情報再生装置に採用してもよい。
【０１２２】
（第７の実施形態）
第１から第６の実施形態のアドレス情報再生装置は、光ディスクから情報を再生し、あるいは、光ディスクに情報を記録する光ディスク装置に好適に用いられる。
【０１２３】
図２０は、光ディスク装置の一例を示すブロック図である。光ディスク装置１７は、光ディスク２００１を回転するためスピンドルモータ２００７と、サーボ回路２００８と、光ピックアップ２００２と、ユーザデータ再生回路２００３と、アドレス情報再生装置２００６とを備える。光ピックアップ２００２は、光ディスクから情報を読み取るためのレーザビームを出射する発光素子および反射光を検出するためのディテクタを含む。光ディスク装置１７が記録も行う場合には、記録用のレーザ素子等を更に含んでいる。ユーザデータ再生回路２００３は光ピックアップ２００２のディテクタから得られる出力信号に基づいて、ユーザデータ再生信号を得る。ユーザデータ再生信号は復調回路２００４および誤り訂正回路２００５を経てユーザデータに変換される。
【０１２４】
アドレス情報再生装置２００６は上記第１から第６の実施形態のアドレス情報再生装置のいずれかを用いることができる。ただし、図２に示すディテクタ２０３、２０４、図８に示すディテクタ４０１、４０２などは、上述した光ピックアップ２００２のディテクタとして光ピックアップ２００２に組み込まれている。アドレス情報再生装置２００６から得られるアドレス情報は、光ディスク装置１７全体の制御を行うシステムコントローラ２００９に入力される。
【０１２５】
本実施形態の光ディスク装置によれば、常に信頼性の高いアドレス情報をアドレス情報再生装置によって得ることができる。このため、光ディスクに埃が付着していたり、光ディスクに傷が生じていたりしても、信頼性の高いアドレス情報に基づいて正しいアドレスにおいてデータを記録／再生することができる。
【０１２６】
なお、上記第１から第６の実施形態では特に図示していないが、第１から第６の実施形態で説明したアドレス信号の再生方法を実行する手順は、電子部品等を用いた回路によりハードウエア的に実現してよいし、マイクロコンピュータや光ディスク装置のホストコンピュータによって実行される。マイクロコンピュータやホストによって実行する場合には、上記手順を実行するためのコンピュータに読み取り可能なプログラム（ファームウェア）がＥＥＰＲＯＭやＲＡＭなどの情報記録媒体等に格納される。
【０１２７】
【発明の効果】
本発明によれば、隣接するトラックとの干渉や、光ディスクのデータ面とレーザビームとの傾き、データ面の埃や傷など、様々な要因により再生信号の品質が劣化しても、信頼性の高いアドレス情報を得ることができるアドレス情報再生方法およびアドレス情報再生装置が得られる。
【図面の簡単な説明】
【図１】光ディスクのグルーブに設けられるウォブル形状を示す模式図である。
【図２】（ａ）は、グルーブの形状を再生するための再生回路を示すブロック図であり、（ｂ）は、グルーブ形状およびそれに対応する再生信号の波形を示している。
【図３】本発明の光ディスクに設けられるグルーブのウォブル形状を示す模式図である。
【図４】本発明のアドレス情報再生装置の第１の実施形態を示すブロック図である。
【図５】図４に示すアドレス情報再生装置の各部における信号の波形を示している。
【図６】図４に示すアドレス情報再生装置の各部における信号の波形を示している。
【図７】図４に示すアドレス情報再生装置の各部における信号の波形を示している。
【図８】本発明のアドレス情報再生装置の第２の実施形態を示すブロック図である。
【図９】図８に示すアドレス情報再生装置の各部における信号の波形を示している。
【図１０】本発明のアドレス情報再生装置の第２の実施形態の他の例を示すブロック図である。
【図１１】本発明のアドレス情報再生装置の第３の実施形態を示すブロック図である。
【図１２】図１１に示すアドレス情報再生装置の各部における信号の波形を示している。
【図１３】図１１に示すアドレス情報再生装置の各部における信号の波形を示している。
【図１４】図１１に示すアドレス情報再生装置の各部における信号の波形を示している。
【図１５】本発明のアドレス情報再生装置の第４の実施形態を示すブロック図である。
【図１６】本発明のアドレス情報再生装置の第４の実施形態の他の例を示すブロック図である。
【図１７】本発明のアドレス情報再生装置の第５の実施形態を示すブロック図である。
【図１８】本発明のアドレス情報再生装置の第５の実施形態の他の例を示すブロック図である。
【図１９】本発明のアドレス情報再生装置の第６の実施形態を示すブロック図である。
【図２０】本発明の光ディスク装置を示すブロック図である。
【符号の説明】
１１、１２、１３、１４、１５、１６　アドレス情報再生装置
１００、１０１、１０２、１０３、２００　グルーブ
２０１　レーザビーム
２０２、４００　反射光
２０３、２０４、４０１、４０２　ディテクタ
２０５　差動回路
２０６、４０４　アドレス再生信号
２０７　加算回路
２０８　ユーザデータ再生信号
３００　第１の領域
３０１　第２の領域
３０２　領域
４１１　第１の信号生成回路
４１２　第２の信号生成回路
４０９　第１の乗算回路
４１０　第２の乗算回路
４２８　第１のゲート生成回路
４２９　第２のゲート生成回路
４１５　第１の積分回路
４１６　第２の積分回路
４１９、８０３　サンプルホールド回路
４２１、８０５　加算回路
４２３、８０６　アドレス判別回路
８００　信号生成回路
８０１　乗算回路
８０８　ゲート生成回路
８０２　積分回路
１７００　再生回路
１７０１　バーストエラー検出回路
１７０２　選択回路
１７０８　アドレス検出回路
【図１】
2004005908.tif 000003
【図２】
2004005908.tif 000004
【図３】
2004005908.tif 000005
【図４】
2004005908.tif 000006
【図５】
2004005908.tif 000007
【図６】
2004005908.tif 000008
【図７】
2004005908.tif 000009
【図８】
2004005908.tif 000010
【図９】
2004005908.tif 000011
【図１０】
2004005908.tif 000012
【図１１】
2004005908.tif 000013
【図１２】
2004005908.tif 000014
【図１３】
2004005908.tif 000015
【図１４】
2004005908.tif 000016
【図１５】
2004005908.tif 000017
【図１６】
2004005908.tif 000018
【図１７】
2004005908.tif 000019
【図１８】
2004005908.tif 000020
【図１９】
2004005908.tif 000021
【図２０】
2004005908.tif 000022